(57)【要約】  ２以上の接続ポートを備え、各接続ポートで設定されたＶＬＡＮ番号により２以上のＶＬＡＮを設定可能である、列車の車両間通信を行う通信装置であって、ＶＬＡＮ設定を無効にする特定種類のパケットを受信した場合、前記通信装置は、前記特定種類のパケットに対して、設定した２以上のＶＬＡＮを同一ネットワークとみなして、ＶＬＡＮの設定に関わらず、いずれかのＶＬＡＮに設定されている所望の宛先の機器へパケットを転送する。
2014006689.tif 000002
【特許請求の範囲】
【請求項１】
２以上の接続ポートを備え、各接続ポートで設定されたＶＬＡＮ番号により２以上のＶＬＡＮを設定可能である、列車の車両間通信を行う通信装置であって、
ＶＬＡＮ設定を無効にする特定種類のパケットを受信した場合、前記特定種類のパケットに対して、設定した２以上のＶＬＡＮを同一ネットワークとみなし、所望の宛先の機器へパケットを転送する、
ことを特徴とする通信装置。
【請求項２】
２以上の接続ポートを備え、各接続ポートで設定されたＶＬＡＮ番号により２以上のＶＬＡＮを設定可能である、列車の車両間通信を行う通信装置であって、
ＶＬＡＮ設定を無効にする特定種類のパケットを受信した場合、前記特定種類のパケットに対して、設定した２以上のＶＬＡＮを同一ネットワークとみなし、ＶＬＡＮ内の機器を制御するための所望の宛先の制御装置へパケットを転送する、
ことを特徴とする通信装置。
【請求項３】
請求項１または２の通信装置を２以上備え、各通信装置をトランクリンクで接続したネットワークシステム。
【発明の詳細な説明】
【技術分野】
【０００１】
本発明は、ＶＬＡＮによる通信を行う通信装置およびネットワークシステムに関する。
【背景技術】
【０００２】
従来、ＶＬＡＮ（Virtual  Local  Area  Network）を使用した通信が行われている。ネットワークを共用するシステムにおいて、ＶＬＡＮは、ネットワークを分割して使用することができる。例えば、複数の通信装置（ハブ）が接続されたシステムにおいて、各通信装置（ハブ）の接続ポートにＶＬＡＮ設定することにより、物理的な配置では１つのネットワークであるが、論理的に複数のネットワークとして運用することができる。このような技術が、下記特許文献１〜３において開示されている。
【先行技術文献】
【特許文献】
【０００３】
【特許文献１】特開２００７−５８９２号公報
【特許文献２】特開２００３−１９８５８８号公報
【特許文献３】特開２００４−７２１６０号公報
【発明の概要】
【発明が解決しようとする課題】
【０００４】
しかしながら、上記従来の技術によれば、同じＶＬＡＮ設定のネットワーク内でのみ通信ができる。そのため、物理的な配置で１つの通信装置に接続されていても、ＶＬＡＮ設定の異なるネットワーク間では通信できない、という問題があった。【０００５】
本発明は、上記に鑑みてなされたものであって、ＶＬＡＮ設定の異なるネットワーク間での通信が可能な通信装置およびネットワークシステムを得ることを目的とする。
【課題を解決するための手段】
【０００６】
上述した課題を解決し、目的を達成するために、本発明は、２以上の接続ポートを備え、各接続ポートに設定されたＶＬＡＮ番号により２以上のＶＬＡＮを構成可能である、列車内の機器間の通信を可能にする通信装置であって、他のＶＬＡＮ内の機器との通信を行う特定種類のパケットを受信した場合、前記特定種類のパケットに対して、設定した２以上のＶＬＡＮを同一ネットワークとみなし、所望の宛先の機器へパケットを転送する、ことを特徴とする。
【発明の効果】
【０００７】
本発明にかかる通信装置は、ＶＬＡＮ設定の異なるネットワーク間での通信ができる、という効果を奏する。
【図面の簡単な説明】
【０００８】
【図１】図１は、実施の形態１に係る通信装置を含むネットワークシステムの構成例を示す図である。
【図２】図２は、実施の形態１における論理的ネットワーク構成を示す図である。
【図３】図３は、実施の形態２に係る通信装置を含むネットワークシステムの構成例を示す図である。
【図４】図４は、実施の形態２における通常時の論理的ネットワーク構成を示す図である。
【図５】図５は、実施の形態２における特定種類のパケットを通信時のＶＬＡＮのネットワーク構成を示す図である。
【発明を実施するための形態】
【０００９】
以下に、本発明に係る通信装置およびネットワークシステムの実施の形態を図面に基づいて詳細に説明する。なお、この実施の形態によりこの発明が限定されるものではない。
【００１０】
実施の形態１．
図１は、本実施の形態に係る通信装置を含むネットワークシステムの構成例を示す図である。各機器の物理接続を示すものである。ネットワークシステムは、通信装置１、２がＴｒｕｎｋ  Ｌｉｎｋ（トランクリンク）３で接続されており、通信装置１にはＶＬＡＮ＃０設定ポートに接続された情報管理装置４が接続されている。また、通信装置１には、ＶＬＡＮ＃１設定ポートに接続されたＶＶＶＦ（Variable  Voltage  Variable  Frequency）１１、エアコン１２と、ＶＬＡＮ＃２設定ポートに接続された案内装置２１、２２と、が接続されている。また、通信装置２には、ＶＬＡＮ＃１設定ポートに接続されたＶＶＶＦ１３、エアコン１４と、ＶＬＡＮ＃２設定ポートに接続された案内装置２３、２４と、が接続されている。通信装置１、２は、複数の接続ポートを備えており、各接続ポートで設定されたＶＬＡＮ番号により複数（ここでは３つ）のＶＬＡＮ設定が可能である。なお、ネットワークシステムの具体例として、列車編成において、各車両に通信装置を備え、車両間をＴｒｕｎｋ  Ｌｉｎｋ３で接続して車両間通信を行うシステムがあるが、このような車両間の通信に限定するものではない。
【００１１】
図１に示すように、ＶＶＶＦ１１、エアコン１２、ＶＶＶＦ１３およびエアコン１４は、ＶＬＡＮ＃１のネットワークに接続されており、通常は、このポートＶＬＡＮ＃１で設定されたネットワーク内でのみ通信が可能である。また、案内装置２１〜２４は、ＶＬＡＮ＃２のネットワークに設定されており、通常は、このポートＶＬＡＮ＃２で設定されたネットワーク内でのみ通信が可能である。
【００１２】
ここで、情報管理装置４は、いずれかのＶＬＡＮに接続する機器と通信を行う場合、本実施の形態では、特定種類のパケットを用いることとする。特定種類とは、ＴＣＰ／ＵＤＰにおける「８０」や「１１０」に相当するポート番号やＩＰアドレス、ＭＡＣアドレス等を示す。通信装置１、２では、情報管理装置４から特定種類のパケットを受信した場合、ポートＶＬＡＮの設定を無効にし、ＶＬＡＮ＃１とＶＬＡＮ＃２のネットワークを同一ネットワークとみなして動作する。なお、ここではＶＬＡＮ間の通信を可能とする通信をＴＣＰ／ＵＤＰにおけるポート番号としたが、ＩＰアドレスやＭＡＣアドレスなどの通信の種類を識別できる情報であってもよい。また、ＶＬＡＮ間の通信がユニキャストであれば、ユニキャスト通信を可能にするためＡＲＰ通信もＶＬＡＮ間で通信可能にする。
【００１３】
図２は、本実施の形態における論理的ネットワーク構成を示す図である。特定種類のパケット送信時の状態を示すものである。情報管理装置４は、特定種類のパケットを送信することにより、各機器が各通信装置のどの接続ポートに接続しているかにかかわらず、各機器との間でデータ通信を行うことができる。例えば、情報管理装置４がＶＬＡＮ＃１側のＶＶＶＦ１１と通信する場合、情報管理装置４は、特定種類のパケットを通信装置１へ送信し、通信装置１は、ポートＶＬＡＮの設定にかかわらず（ポートＶＬＡＮの設定を無視して）、情報管理装置４から受信した特定種類のパケットを所望の宛先であるＶＶＶＦ１１へ転送する。
【００１４】
同様に、情報管理装置４がＶＬＡＮ＃２側の案内装置２３と通信する場合、情報管理装置４は、特定種類のパケットを通信装置１へ送信し、通信装置１は、情報管理装置４から受信した特定種類のパケットをＴｒｕｎｋ  Ｌｉｎｋ３経由で通信装置２へ転送し、通信装置２は、ポートＶＬＡＮの設定にかかわらず、通信装置１から受信した特定種類のパケットを所望の宛先である案内装置２３へ転送する。このように、情報管理装置４と各機器との間では、特定種類の通信を行うことにより、ポートＶＬＡＮの設定を無視してデータ通信を行うことができる。
【００１５】
以上説明したように、本実施の形態によれば、複数のポートＶＬＡＮを設定している通信装置は、情報管理装置から特定種類のパケットを受信した場合、ポートＶＬＡＮ設定にかかわらず、複数のＶＬＡＮを同一ネットワークとみなして、受信したパケットを接続ポートに接続されている所望の宛先の機器へ転送することとした。これにより、ネットワークを共用するシステムにおいて、ＶＬＡＮ設定が異なるネットワーク間での通信が可能となる。
【００１６】
実施の形態２．
実施の形態１では、情報管理装置が各ＶＬＡＮに接続する機器と直接データ通信を行う場合について説明した。本実施の形態では、情報管理装置が各ＶＬＡＮに接続する制御装置とデータ通信を行う。実施の形態１と異なる部分について説明する。
【００１７】
図３は、本実施の形態に係る通信装置を含むネットワークシステムの構成例を示す図である。各機器の物理接続を示すものである。ネットワークシステムは、通信装置５、６がＴｒｕｎｋ  Ｌｉｎｋ７で接続されており、通信装置５にはＶＬＡＮ＃１０設定ポートに接続された情報管理装置８が接続されている。また、通信装置５には、ＶＬＡＮ＃３設定ポートに接続された行先制御装置３１、行先表示装置３２と、ＶＬＡＮ＃４設定ポートに接続された案内制御装置４１、案内装置４２、４３と、ＶＬＡＮ＃５設定ポートに接続された監視制御装置５１、監視カメラ５２と、が接続されている。また、通信装置６には、ＶＬＡＮ＃３設定ポートに接続された行先表示装置３３、３４と、ＶＬＡＮ＃４設定ポートに接続された案内装置４４、４５と、ＶＬＡＮ＃５設定ポートに接続された監視カメラ５３、５４と、が接続されている。通信装置５、６は、複数の接続ポートを備えており、各接続ポートで設定されたＶＬＡＮ番号により複数（ここでは４つ）のＶＬＡＮ設定が可能である。
【００１８】
図４は、本実施の形態における通常時のＶＬＡＮのネットワーク構成を示す図である。図３、図４に示すように、行先制御装置３１および行先表示装置３２〜３４は、ＶＬＡＮ＃３のネットワークに接続されている。通常、行先制御装置３１は、ＶＬＡＮ＃３を使用して行先表示装置３２〜３４と通信を行う。このポートＶＬＡＮ＃３で設定されたネットワーク内でのみ通信が可能である。また、案内制御装置４１および案内装置４２〜４５は、ＶＬＡＮ＃４のネットワークに接続されている。通常、案内制御装置４１は、ＶＬＡＮ＃４を使用して案内装置４２〜４５と通信を行う。このポートＶＬＡＮ＃４で設定されたネットワーク内でのみ通信が可能である。また、監視制御装置５１および監視カメラ５２〜５４は、ＶＬＡＮ＃５のネットワークに設定されている。通常、監視制御装置５１は、ＶＬＡＮ＃５を使用して監視カメラ５２〜５４と通信を行う。このポートＶＬＡＮ＃５で設定されたネットワーク内でのみ通信が可能である。
【００１９】
ここで、情報管理装置８は、いずれかのＶＬＡＮに接続する機器とデータ通信を行う必要がある場合、本実施の形態では、特定種類のパケットを用いて、各ＶＬＡＮの装置と通信を行う。通信装置５、６では、情報管理装置８から特定種類のパケットを受信した場合、ポートＶＬＡＮの設定を無効にし、ＶＬＡＮ＃３〜＃５のネットワークを同一ネットワークとみなして動作する。
【００２０】
図５は、本実施の形態における特定種類パケット受信時のＶＬＡＮのネットワーク構成を示す図である。特定種類のパケット通信時の状態を示すものである。情報管理装置８は、特定種類のパケットを送信することにより、各装置が各通信装置のどの接続ポートに接続しているかにかかわらず、各装置との間でデータ通信を行うことができる。例えば、情報管理装置８がＶＬＡＮ＃３側の行先制御装置３１と通信する場合、情報管理装置８は、特定種類のパケットを通信装置５へ送信し、通信装置５は、ポートＶＬＡＮの設定にかかわらず（ポートＶＬＡＮの設定を無視して）、情報管理装置８から受信した特定種類のパケットを所望の宛先である行先制御装置３１へ転送する。行先制御装置３１は、情報管理装置８から受信したパケットに基づいて、行先表示装置３２〜３４の表示情報を制御することができる。
【００２１】
同様に、情報管理装置８がＶＬＡＮ＃４側の案内制御装置４１と通信する場合、情報管理装置８は、特定種類のパケットを通信装置５へ送信し、通信装置５は、ポートＶＬＡＮの設定にかかわらず（ポートＶＬＡＮの設定を無視して）、情報管理装置８から受信した特定種類のパケットを所望の宛先である案内制御装置４１へ転送する。案内制御装置４１は、情報管理装置８から受信したパケットに基づいて、案内装置４２〜４５の案内情報を制御することができる。
【００２２】
同様に、情報管理装置８がＶＬＡＮ＃５側の監視制御装置５１と通信する場合、情報管理装置８は、特定種類のパケットを通信装置５へ送信し、通信装置５は、ポートＶＬＡＮの設定にかかわらず（ポートＶＬＡＮの設定を無視して）、情報管理装置８から受信した特定種類のパケットを所望の宛先である監視制御装置５１へ転送する。監視制御装置５１は、情報管理装置８から受信したパケットに基づいて、監視カメラ５２〜５４の動作を制御することができる。このように、情報管理装置８と各制御装置との間では、特定種類の通信を行うことにより、ポートＶＬＡＮの設定を無視してデータ通信を行うことができる。
【００２３】
本実施の形態におけるシステムの使用例として、例えば、車両で使用することを想定する。情報管理装置８は、車両の位置情報（行先駅、後方駅、駅間キロ程）、速度情報、ドア開情報等の車両情報を、行先制御装置３１、案内制御装置４１および監視制御装置５１へ伝送する。各制御装置は、情報管理装置８から取得した車両情報を使用して、行先表示機能、案内機能、監視機能を実現する。なお、行先制御装置３１、案内制御装置４１および監視制御装置５１は、各システムの構成機器の稼働状況、故障状況を集約し、特定種類の通信により、情報管理装置８へ伝送する。
【００２４】
以上説明したように、本実施の形態によれば、複数のポートＶＬＡＮを設定している通信装置は、情報管理装置から特定種類のパケットを受信した場合、ポートＶＬＡＮ設定にかかわらず、複数のＶＬＡＮを同一ネットワークとみなして、受信したパケットを接続ポートの接続されている所望の宛先の制御装置へ転送する。そして、各制御装置が、各ポートＶＬＡＮ内の機器の制御を行う。この場合においても、ネットワークを共用するシステムにおいて、ＶＬＡＮ設定が異なるネットワーク間での通信が可能となり、実施の形態１と同様の効果を得ることができる。
【符号の説明】
【００２５】
１、２、５、６  通信装置
３、７  Ｔｒｕｎｋ  Ｌｉｎｋ
４、８  情報管理装置
１１、１３  ＶＶＶＦ
１２、１４  エアコン
２１〜２４  案内装置
３１  行先制御装置
３２〜３４  行先表示装置
４１  案内制御装置
４２〜４５  案内装置
５１  監視制御装置
５２〜５４  監視カメラ
【図１】
2014006689.tif 000003
【図２】
2014006689.tif 000004
【図３】
2014006689.tif 000005
【図４】
2014006689.tif 000006
【図５】
2014006689.tif 000007
【手続補正書】
【提出日】平成24年10月24日(2012.10.24)
【手続補正１】
【補正対象書類名】特許請求の範囲
【補正対象項目名】全文
【補正方法】変更
【補正の内容】
【特許請求の範囲】
【請求項１】
２以上の接続ポートを備え、各接続ポートで設定されたＶＬＡＮ番号により２以上のＶＬＡＮを設定可能である、列車の車両間通信を行う通信装置であって、
パケットに付与された通信の種類を識別する情報のみに基づいて受信パケットがＶＬＡＮ設定を無効にする特定種類のパケットかどうかを判断し、前記特定種類のパケットを受信した場合、前記特定種類のパケットに対して、設定した２以上のＶＬＡＮを同一ネットワークとみなし、所望の宛先の機器へパケットを転送する、
ことを特徴とする通信装置。
【請求項２】
２以上の接続ポートを備え、各接続ポートで設定されたＶＬＡＮ番号により２以上のＶＬＡＮを設定可能である、列車の車両間通信を行う通信装置であって、
パケットに付与された通信の種類を識別する情報のみに基づいて受信パケットがＶＬＡＮ設定を無効にする特定種類のパケットかどうかを判断し、前記特定種類のパケットを受信した場合、前記特定種類のパケットに対して、設定した２以上のＶＬＡＮを同一ネットワークとみなし、ＶＬＡＮ内の機器を制御するための所望の宛先の制御装置へパケットを転送する、
ことを特徴とする通信装置。
【請求項３】
請求項１または２の通信装置を２以上備え、各通信装置をトランクリンクで接続したネットワークシステム。
【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
２以上の接続ポートを備え、各接続ポートで設定されたＶＬＡＮ番号により２以上のＶＬＡＮを設定可能である、列車の車両間通信を行う通信装置であって、
パケットに付与された通信の種類を識別する情報のみに基づいて受信パケットがＶＬＡＮ設定を無効にする特定種類のパケットかどうかを判断し、前記特定種類のパケットを受信した場合、前記特定種類のパケットに対して、各接続ポートのＶＬＡＮ設定を無効にし、設定した２以上のＶＬＡＮを同一ネットワークとみなし、所望の宛先の機器へパケットを転送する、
ことを特徴とする通信装置。
【請求項２】
２以上の接続ポートを備え、各接続ポートで設定されたＶＬＡＮ番号により２以上のＶＬＡＮを設定可能である、列車の車両間通信を行う通信装置であって、
パケットに付与された通信の種類を識別する情報のみに基づいて受信パケットがＶＬＡＮ設定を無効にする特定種類のパケットかどうかを判断し、前記特定種類のパケットを受信した場合、前記特定種類のパケットに対して、各接続ポートのＶＬＡＮ設定を無効にし、設定した２以上のＶＬＡＮを同一ネットワークとみなし、ＶＬＡＮ内の機器を制御するための所望の宛先の制御装置へパケットを転送する、
ことを特徴とする通信装置。
【請求項３】
請求項１または２の通信装置を２以上備え、各通信装置をトランクリンクで接続したネットワークシステム。
【国際調査報告】
2014006689.tif 000008
2014006689.tif 000009